【手続補正書】
【提出日】平成20年2月29日(2008.2.29)
【手続補正１】
【補正対象書類名】特許請求の範囲
【補正対象項目名】全文
【補正方法】変更
【補正の内容】
【特許請求の範囲】
【請求項１】
フォーカスレンズを介して入射される画像を撮像する撮像手段と、
前記撮像手段によって撮像される画像に含まれる第１の被写体に合焦させる位置に前記フォーカスレンズを移動させる第１のオートフォーカス手段と、
前記第１のオートフォーカス手段による前記フォーカスレンズの移動の後、前記第１の被写体とは異なる位置にある第２の被写体に合焦させる位置に前記フォーカスレンズを移動させる第２のオートフォーカス手段と、
前記フォーカスレンズが第２のオートフォーカス手段によって移動した位置で前記撮像手段によって撮像される画像を記録する記録手段と
を具備したことを特徴とする撮像装置。
【請求項２】
前記第１のオートフォーカス手段により前記フォーカスレンズが前記第１の被写体に合焦させた時の画像中から前記第１の被写体に相当する部分をマスクするマスク手段を更に具備し、
前記第２のオートフォーカス手段は、前記マスク手段によりマスクが施された画像に含まれる前記第１の被写体とは異なる位置にある第２の被写体に合焦させる位置に前記フォーカスレンズを移動させることを特徴とする請求項１記載の撮像装置。
【請求項３】
前記第２の被写体は、前記第１の被写体よりも遠距離側の位置にあることを特徴とする請求項１又は２記載の撮像装置。
【請求項４】
前記第２のオートフォーカス手段は、前記第１の被写体が被写界深度外となるように前記フォーカスレンズを移動させることを特徴とする請求項３記載の撮像装置。
【請求項５】
前記第２のオートフォーカス手段は、前記第１の被写体までの距離に対する予め決められた所定倍数の距離に合焦するように前記フォーカスレンズを移動させることを特徴とする請求項３記載の撮像装置。
【請求項６】
前記第２のオートフォーカス手段により前記第２の被写体に合焦させる位置に移動できない場合に、前記フォーカスレンズが合焦された前記第１の被写体よりも遠距離側の位置にフォーカスが合うように、前記フォーカスレンズを所定量移動させる第３のオートフォーカス手段を更に具備したことを特徴とする請求項１乃至５の何れか記載の撮像装置。
【請求項７】
撮像部に対しフォーカスレンズを介して入射される画像を撮像させる撮像ステップと、
前記撮像ステップにて撮像される画像に含まれる第１の被写体に合焦させる位置に前記フォーカスレンズを移動させる第１のオートフォーカスステップと、
前記第１のオートフォーカスステップでの前記フォーカスレンズの移動の後、前記第１の被写体とは異なる位置にある第２の被写体に合焦させる位置に前記フォーカスレンズを移動させる第２のオートフォーカスステップと、
前記フォーカスレンズが第２のオートフォーカスステップで移動した位置で前記撮像部で撮像される画像を記録部に記録させる記録ステップと
を含むことを特徴とする画像記録方法。
【請求項８】
フォーカスレンズ、及び、記録部を備える撮像装置に搭載されるコンピュータを、
前記フォーカスレンズを介して入射される画像を撮像する撮像手段、
前記撮像手段によって撮像される画像に含まれる第１の被写体に合焦させる位置に前記フォーカスレンズを移動させる第１のオートフォーカス手段、
前記第１のオートフォーカス手段による前記フォーカスレンズの移動の後、前記第１の被写体とは異なる位置にある第２の被写体に合焦させる位置に前記フォーカスレンズを移動させる第２のオートフォーカス手段、
前記フォーカスレンズが第２のオートフォーカス手段によって移動した位置で前記撮像手段によって撮像される画像を前記記録部に記録させる記録手段
として機能させることを特徴とするプログラム。
【手続補正２】
【補正対象書類名】明細書
【補正対象項目名】発明の名称
【補正方法】変更
【補正の内容】
【発明の名称】撮像装置、画像記録方法、及び、プログラム
【手続補正３】
【補正対象書類名】明細書
【補正対象項目名】０００１
【補正方法】変更
【補正の内容】
【０００１】
本発明は、オートフォーカス機能が設けられた撮像装置、画像記録方法、及び、プログラムに関する。
【手続補正４】
【補正対象書類名】明細書
【補正対象項目名】０００６
【補正方法】変更
【補正の内容】
【０００６】
本発明の課題は、被写体との間に檻やネットなどの撮像対象としない対象物が存在していたとしても良好に被写体にフォーカスを合わせて画像を撮像することが可能な撮像装置、画像記録方法、及び、プログラムを提供することにある。
【手続補正５】
【補正対象書類名】明細書
【補正対象項目名】０００７
【補正方法】変更
【補正の内容】
【０００７】
請求項１記載の発明は、フォーカスレンズを介して入射される画像を撮像する撮像手段と、前記撮像手段によって撮像される画像に含まれる第１の被写体に合焦させる位置に前記フォーカスレンズを移動させる第１のオートフォーカス手段と、前記第１のオートフォーカス手段による前記フォーカスレンズの移動の後、前記第１の被写体とは異なる位置にある第２の被写体に合焦させる位置に前記フォーカスレンズを移動させる第２のオートフォーカス手段と、前記フォーカスレンズが第２のオートフォーカス手段によって移動した位置で前記撮像手段によって撮像される画像を記録する記録手段とを具備したことを特徴とする。
【手続補正６】
【補正対象書類名】明細書
【補正対象項目名】０００８
【補正方法】変更
【補正の内容】
【０００８】
請求項２記載の発明は、請求項１記載の発明において、前記第１のオートフォーカス手段により前記フォーカスレンズが前記第１の被写体に合焦させた時の画像中から前記第１の被写体に相当する部分をマスクするマスク手段を更に具備し、前記第２のオートフォーカス手段は、前記マスク手段によりマスクが施された画像に含まれる前記第１の被写体とは異なる位置にある第２の被写体に合焦させる位置に前記フォーカスレンズを移動させることを特徴とする。
【手続補正７】
【補正対象書類名】明細書
【補正対象項目名】０００９
【補正方法】変更
【補正の内容】
【０００９】
請求項３記載の発明は、請求項１又は２記載の発明において、前記第２の被写体は、前記第１の被写体よりも遠距離側の位置にあることを特徴とする。
【手続補正８】
【補正対象書類名】明細書
【補正対象項目名】００１０
【補正方法】変更
【補正の内容】
【００１０】
請求項４記載の発明は、請求項３記載の発明において、前記第２のオートフォーカス手段は、前記第１の被写体が被写界深度外となるように前記フォーカスレンズを移動させることを特徴とする。
請求項５記載の発明は、請求項３記載の発明において、前記第２のオートフォーカス手段は、前記第１の被写体までの距離に対する予め決められた所定倍数の距離に合焦するように前記フォーカスレンズを移動させることを特徴とする。
【手続補正９】
【補正対象書類名】明細書
【補正対象項目名】００１１
【補正方法】変更
【補正の内容】
【００１１】
請求項６記載の発明は、請求項１乃至５の何れか記載の発明において、前記第２のオートフォーカス手段により前記第２の被写体に合焦させる位置に移動できない場合に、前記フォーカスレンズが合焦された前記第１の被写体よりも遠距離側の位置にフォーカスが合うように、前記フォーカスレンズを所定量移動させる第３のオートフォーカス手段を更に具備したことを特徴とする。
【手続補正１０】
【補正対象書類名】明細書
【補正対象項目名】００１２
【補正方法】変更
【補正の内容】
【００１２】
請求項７記載の発明は、撮像部に対しフォーカスレンズを介して入射される画像を撮像させる撮像ステップと、前記撮像ステップにて撮像される画像に含まれる第１の被写体に合焦させる位置に前記フォーカスレンズを移動させる第１のオートフォーカスステップと、前記第１のオートフォーカスステップでの前記フォーカスレンズの移動の後、前記第１の被写体とは異なる位置にある第２の被写体に合焦させる位置に前記フォーカスレンズを移動させる第２のオートフォーカスステップと、前記フォーカスレンズが第２のオートフォーカスステップで移動した位置で前記撮像部で撮像される画像を記録部に記録させる記録ステップとを含むことを特徴とする。
【手続補正１１】
【補正対象書類名】明細書
【補正対象項目名】００１３
【補正方法】変更
【補正の内容】
【００１３】
請求項８記載の発明は、フォーカスレンズ、及び、記録部を備える撮像装置に搭載されるコンピュータを、前記フォーカスレンズを介して入射される画像を撮像する撮像手段、前記撮像手段によって撮像される画像に含まれる第１の被写体に合焦させる位置に前記フォーカスレンズを移動させる第１のオートフォーカス手段、前記第１のオートフォーカス手段による前記フォーカスレンズの移動の後、前記第１の被写体とは異なる位置にある第２の被写体に合焦させる位置に前記フォーカスレンズを移動させる第２のオートフォーカス手段、前記フォーカスレンズが第２のオートフォーカス手段によって移動した位置で前記撮像手段によって撮像される画像を前記記録部に記録させる記録手段として機能させることを特徴とする。
【手続補正１２】
【補正対象書類名】明細書
【補正対象項目名】００１４
【補正方法】変更
【補正の内容】
【００１４】
本発明よれば、例えば動物園などで檻の中の動物を撮像したり、野球場などでネット越しに被写体（選手）を撮像するような場合に、良好にフォーカスを合わせて画像を撮影することができる。
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】